(57)【要約】  提案されるのは高電圧開閉器装置であって、絶縁支持ハウジングを介して架台上で支持される分配ハウジングとこの分配ハウジングに載置される開閉器とを有し、この開閉器が碍子とこの碍子によって取り囲まれる開閉室とこの開閉室内に受容された断路可能な接点とを有する。開閉器は、駆動装置によって操作可能な開閉棒を介して開閉可能であり、この開閉棒は支持ハウジングおよび分配ハウジングの内部に配置されている。少なくとも３つの開閉器（４）が分配ハウジング（３）に固着されており、各開閉器に個別の開閉棒（１２、１３、１５、１６、１９、２０、２２）と個別の駆動装置（１７）が付設されている。
2008511952.tif 000002
【特許請求の範囲】
【請求項１】
絶縁支持ハウジングを介して架台で支持される分配ハウジングと、該分配ハウジングに載置される開閉器とを有する高電圧開閉器装置であって、
前記開閉器が碍子と該碍子によって取り囲まれる開閉室とこの開閉室内に受容された断路可能な接点とを有し、
開閉器が、駆動装置によって操作可能な開閉棒を介して開閉され、
前記開閉棒が支持ハウジングおよび分配ハウジングの内部に配置されたものにおいて、
少なくとも３つの開閉器（４）が分配ハウジング（３）上に固着され、各開閉器に個別の開閉棒（１２、１３、１５、１６、１９、２０、２２）と個別の駆動装置（１７）が付設されたことを特徴とする高電圧開閉器装置。
【請求項２】
三相システムの三相用に、支持ハウジング（２）と分配ハウジング（３）と分配ハウジングに固着された複数の開閉器（４）と付設された開閉棒とからなる３つのユニット（２８、２９、３０）が架台（２６、２７）上に配置されており、同数の駆動装置（１７）がユニット（２８）の開閉器（４）と同様に設けられ、個々のユニット（２８、２９、３０）が各々連結リンク（３１）を介して互いに結合され、これら連結要素が個々のユニット（２８、２９、３０）の開閉器の開閉棒を各駆動装置と結合することを特徴とする請求項１記載の高電圧開閉器装置。
【請求項３】
各開閉棒が、支持ハウジング（２）内に通る少なくとも１つの開閉棒（１５、１９、２０）と、開閉器（４）の可動接点（７）と結合され、第１ヒンジ（１３）を介して案内される少なくとも１つの連結棒（１２、２２）と、開閉棒（１５、１９、２０）を駆動装置（１７）又は駆動装置（１７）との連結リンク（３１）と結合する少なくとも１つの連結結合部（１６、２３、２４、２５）とを有することを特徴とする請求項１又は２記載の高電圧開閉器装置。
【請求項４】
第１ヒンジが二重レバー（１３）として構成され、回転軸でピボット軸受によって支承され、この二重レバーで開閉棒（１５）および連結棒（１２）が枢支されたことを特徴とする請求項３記載の高電圧開閉器装置。
【請求項５】
少なくとも１つの開閉棒（１９）が可動接点（７）に直接連結されたことを特徴とする請求項１乃至４の１つに記載の高電圧開閉器装置。
【請求項６】
開閉器が断路器および／又は遮断器として構成されたことを特徴とする請求項１乃至５の１つに記載の高電圧開閉器装置。
【発明の詳細な説明】
【技術分野】
【０００１】
本発明は、請求項１の前文に記載の高電圧開閉器装置に関する。
【背景技術】
【０００２】
独国特許出願公開第２８２５７４４号明細書で公知の屋外設置用高圧ガス高電圧開閉器では、管状懸垂碍子が接地された懸垂ハウジングで支持され、分配ハウジングが懸垂碍子の上端に載置されている。分配ハウジングに続く２つの管状碍子内に各々開閉ユニットが配置されている。開閉ユニットは関節式に支承されたレバーを経て管状開閉要素と結合されており、この開閉要素は懸垂碍子により案内され、機械的駆動ユニットを経て操作可能である。管状開閉要素は枢支されたレバーを経て両開閉ユニットを操作する。
【０００３】
同様の装置が欧州特許出願公開第１２０７６０１号明細書に述べられている。
【発明の開示】
【発明が解決しようとする課題】
【０００４】
本発明の課題は複数の開閉器を有する高電圧開閉器装置を提供することであり、個々の開閉器の可変操作が可能でなければならず、三相システムにおいても一層確実な利用が予定されていなければならない。
【課題を解決するための手段】
【０００５】
この課題は、本発明によれば請求項１の前文と、特徴部分の特徴とにより解決される。
【０００６】
少なくとも３つの開閉器を分配ハウジングに固着し、各開閉器に個別の開閉棒と駆動装置が付設することで、高電圧開閉器装置を可変に利用できる。高電圧開閉器装置内の開閉器の１つ、例えば断路器が故障しても、別の開閉器はそれに係りなく引き続き作動する。
【０００７】
従属請求項に示す措置によって有利な諸構成、諸改善が可能である。
【０００８】
各々１つの絶縁支持ハウジングと１つの分配ハウジングと少なくとも３つの開閉器と付属する各開閉棒とからなる３つのユニットを一緒に１つの枠架上に配置し、個々のユニットの開閉棒を連結リンクを介して各１つの駆動装置と結合すると特に有利である。これにより、ユニットを付設した各開閉器を別の開閉器と無関係に操作でき、１つの駆動装置の故障時、別の駆動装置は異なるユニットの付設された開閉器を引き続き操作できる。
【０００９】
開閉器を、断路器、遮断器および／又は断路機能を持つ複合遮断器として構成し得る。
【００１０】
以下、本発明の実施例を、図面を参照して詳しく説明する。
【００１１】
図１に示す高電圧装置は、例えばＨ回路、１1／2、１および1／2遮断器装置、環状母線装置および二重母線装置での利用に適する。この装置は架台１上に配置された管状絶縁支持ハウジング２と、高電位の分配ハウジング３と、該ハウジングに取付けられた断路器４、ここでは３つの断路器とを有する。断路器は、各々碍子５で取り囲まれた開閉室６を含む。
【００１２】
各断路器４の開閉室６の中にある断路可能な接触要素７、８は、この場合一方で開閉ピン７、他方で摺動接点８として形成されている。摺動接点８は各々外部端子９と結合されている。断路器４の各開閉ピン７は管１０内をガイド１１で案内され、棒１２と結合されている。棒１２は関節式に二重レバー１３で枢支されており、この二重レバーはピボット軸受付き回転軸からなる旋回点１４で回転可能に支承されている。各二重レバー（各断路器４に１つの二重レバー１３が付設されている）で枢支された開閉棒１５は支持ハウジング２に挿通され、その下端は、関節式レバーとピボット軸受付き軸とで構成された方向転換部１６を介して、付属する断路器４用の駆動装置１７と結合されている。駆動装置１７は、好適にはモータ駆動装置として構成されている。
【００１３】
各断路器４用に設けられているのは、個別の駆動装置１７と個別の方向転換部１６と個別の開閉棒１５と個別の二重レバーと個別の棒１２である。駆動装置１７が外部制御装置で操作されると、方向転換部１６を介して開閉棒１５が垂直方向で下方に摺動し、これにより二重レバー１３が下方に引っ張られ、棒１２がガイド１１および開閉ピン７と共に管１０内を摺動し、開閉ピン７が摺動接点８から引き離される。各断路器４はこうして個々に操作できる。即ち、各開閉器は各々独自の空間距離と独自の開閉棒とを有する。
【００１４】
図１では断路器４を分配ハウジング３の周面に配置しているが、断路器４の代わりに単に電源端子を、例えば蓋に設けることもできる。これを図１に蓋１８で示している。
【００１５】
図２に示す他の実施例では断路器４を１平面に配置している。図２の装置は、主として開閉棒の点で図１の装置と相違している。この場合、中央断路器４用開閉棒１９は外側断路器４の開閉棒２０と相違している。詳しくは、中央の開閉棒１９が開閉ピン７とガイド１１に直接連結されているのに対し、垂直に摺動可能に各開閉棒ガイド２１に配置された外側の開閉棒２０が連結棒２２を介して開閉ピン７と結合されている。各連結棒２２は関節式に開閉棒２０およびガイド１１で支承されている。
【００１６】
図２による装置の下部には、図示しない駆動装置に対する操作軸２３、２４と連結部２５が設けられている。機能様式は図１によるものと同じである。
【００１７】
図３は三相システム用に適した高電圧開閉器装置を示す。この装置では、図２に示す３つのユニットを、相応する支持部２７を備えた共通の結合枠２６上に固着している。３つのユニット２８、２９、３０が異なる極を形成する。付記しておくなら、図１に相応する１つのユニットも当然使用できる。この実施形態では、ここで２つのみが目視可能な３つの駆動装置１７をユニット２８の近傍に配置しており、上述のように開閉棒を介して付属する断路器４を操作する。３つのユニット２８、２９、３０は、２つのみが見える３つの連結リンク３１、３２を介して相互に結合されている。より正確には、各連結リンク３２は各駆動装置１７をユニット２８の開閉棒と結合し、連結リンク３１は連結リンク３２を介して駆動装置１７を各ユニット２９、３０の開閉棒と結合する。
【００１８】
ユニット２８、２９、３０の断路器４の１つを操作すると、付属する駆動装置１７が作動し、連結リンク３１、３２を介してモータによりユニット２９、３０が付属する各断路器４を操作する。
【００１９】
上記実施例は、開閉器としての断路器で説明した。当然ながら、遮断器、断路機能付きの複合遮断器又は複合体も使用できる。
【図面の簡単な説明】
【００２０】
【図１】本発明に係る高電圧開閉器装置の第１実施例を部分断面図で示す。
【図２】本発明に係る高電圧開閉器装置の他の実施例を断面図で示す。
【図３】本発明に係る高電圧開閉器装置の三相システムに適した他の実施例を示す。
【符号の説明】
【００２１】
１  架台、２  支持ハウジング、３  分配ハウジング、４  断路器、５  碍子、６  開閉室、７  開閉ピン、８  摺動接点、９  外部端子、１０  管、１１  ガイド、１２  棒、１３  二重レバー、１４  旋回点、１５、１９、２０  開閉棒、１６  方向転換部、１７  駆動装置、１８  蓋、２１  開閉棒ガイド、２２  連結棒、２３、２４  操作軸、２５  連結部、２６  結合枠、２７  支持部、２８、２９、３０  ユニット、３１、３２  連結リンク
【図１】
2008511952.tif 000003
【図２】
2008511952.tif 000004
【図３】
2008511952.tif 000005
【国際調査報告】
2008511952.tif 000006
2008511952.tif 000007
2008511952.tif 000008
2008511952.tif 000009